(57)【要約】【課題】本発明は、チラシやポスターなどの掲示物を簡易操作で着脱でき、防水性を考慮して掲示物の劣化防止を図る立て看板を提供することを課題とする。【解決手段】  本発明の立て看板は、平板状のパネルと、もう１枚のパネルの間に掲示物を挟み、前記パネルの周りを枠で固定するもので、前記枠の内側には弾性体を２本平行に配置し、前記弾性体の間にパネルを装着することで、２枚のパネルが圧着されて保持される。弾性体は、断面形状で円型又略円形とすることで、パネルの装着が容易となり、弾性体に圧着されることで、掲示物の劣化を防止する。【選択図】図１
2013134288.tif 000002
【特許請求の範囲】
【請求項１】
平板状のパネルと、もう１枚のパネルの間に掲示物を挟み、前記パネルの周りを枠で固定する立て看板において、前記枠の内側に弾性体を２本平行に配置し、前記弾性体の断面形状が円型又略円形であることを特徴とする立て看板。
【請求項２】
一方の縦枠の底部を支点として回動可能にしたことを特徴とする請求項１に記載の立て看板。
【発明の詳細な説明】
【技術分野】
【０００１】
本発明は、広告宣伝用のチラシやポスター等を表示する立て看板に関する。
【背景技術】
【０００２】
従来の立て看板は、看板となるパネルを壁又は構造物等に立てかけるものや、看板に脚部を設けて立てかけるもの、又は看板を保持する構造と脚部により自立させるものなどがある。看板にはパネルに直接印刷等を行うものが主流であり、掲示物を交換する際には、看板そのものを交換することとなり、製作費用の負担となっている。
【０００３】
実用新案登録第３０３２３１５号には、旗竿の上部に上部支持部材と横竿と、旗竿を挿通する筒部を有する下部支持部材と横竿と、旗竿の下端を着脱自在に装着する基台とにより骨組みを構成し、表示シートの上部及び下部に、横竿が挿通される筒部を設け、表示シートの交換作業が容易に行われる技術について記載されているが、風雨等の自然環境の影響による劣化を防止するためには、表示シートに劣化防止のための加工等を施す必要がある。
【０００４】
看板には長期間同じ内容を表示する場合と、新しい情報等が記載されたものに更新していく場合があり、長期間掲示する場合は掲示物の劣化防止を、短期間に更新していくものには、交換作業が簡略的に行われることが要件となる。
【先行技術文献】
【特許文献】
【０００５】
【特許文献１】実用新案登録第３０３２３１５号（段落０００４、図１）
【発明の概要】
【発明が解決しようとする課題】
【０００６】
本発明は、チラシやポスターなどの掲示物を簡易操作で着脱でき、気密性と防水性を考慮して掲示物の劣化防止と、掲示物交換の作業性を向上する立て看板を提供することを課題とする。
【課題を解決するための手段】
【０００７】
本発明の立て看板は、平板状のパネルと、もう１枚のパネルの間に掲示物を挟み、前記パネルの周りを枠体で固定するもので、前記枠体の内側には弾性体を２本平行に配置し、前記弾性体の間にパネルを装着することで、２枚のパネルが圧着されて保持されることを特徴とする。
【０００８】
枠体の内側に設ける弾性体は、断面形状で円型又略円形とし、２本平行に配置することで、パネル装着時に弾性体間の間口を広くすることができ、パネルの装着が容易に行うことが可能となり、本発明の大きな特徴でもある。
【０００９】
一方の縦枠の底部を支点として回動可能にすることで、パネル着脱時の作業性が向上する。
【発明の効果】
【００１０】
本発明の立て看板は、チラシやポスターなどの掲示物を挟んだパネルを容易に装着できることから、掲示物の交換作業が容易となり、気密性と防水性を備えることで、掲示物の劣化を防止し、長期間の掲示に適している。
【００１１】
本発明の立て看板は、構造が簡易的であることから、製作も容易で製作費用も低減することが可能である。
【図面の簡単な説明】
【００１２】
【図１】本発明の一例の斜視図
【図２】本発明の上部カバーを除いた一例の平面図
【図３】上部カバー及び開閉縦枠を回動させた一例の正面図
【図４】Ａ−Ａ‘断面図
【図５】Ｂ−Ｂ‘断面図
【図６】Ｃ−Ｃ‘断面図
【図７】横枠固定板と係止片の構造を示す拡大図
【図８】Ｅ−Ｅ‘断面図
【発明を実施するための形態】
【実施例１】
【００１３】
本発明の詳細について、図面を引用して説明する。
図１は本発明の一例の斜視図である。
【００１４】
本発明の立て看板の構成は、本体台座４の両脇に車輪台座５を直角に固定し、車輪台座５の底部には車輪を各２個取付け土台とする。本体台座４及び車輪台座５は矩形の平板状で、強度を考慮すると金属性であることが望ましいが、形状、材質とも、これに限定するものではない。
【００１５】
本体台座４の上面には、縦枠を２本固定するが、一方の固定縦枠１ａはネジ等で固定し、もう一方の開閉縦枠１は蝶番又はピン等の軸により、固定縦枠１の底部を支点として回動可能に取り付ける。縦枠の上面には、縦枠及びパネルを覆うように上部カバー３を設け、上部カバー３の縦枠に接する一方を蝶番等で固定し、上部カバー３が蝶番を支点に回動可能に取付ける。縦枠の下方部には、固定縦枠１ａと開閉縦枠１とを連結するように横枠２を設け、横枠２の底面には横枠固定板１１を設ける。横枠２の開閉縦枠１側には、横枠２と開閉縦枠１とを繋ぐ係止片１０を取り付け、開閉縦枠１開放時にある位置で停止するようにすることで、開閉縦枠１が転倒するのを防止する。図３は上部カバー及び開閉縦枠を回動させた一例の正面図である。
【００１６】
縦枠の断面形状はコの字型にすることが望ましく、前記コの字型の縦枠の内側には、円筒状の弾性体を２本平行に設置する。前記弾性体は、断面形状で円型又略円形が望ましいが、これに限定するものではない。弾性体と縦枠を接着剤等で固定してもよく、縦枠の断面形状におけるコの字型の両端部に折り返しを設けて、弾性体が抜けにくい構造としてもよい。弾性体の材質は、ゴム、スポンジ状のゴム、ウレタン等弾力性のあるものが望ましい。図２は本発明の上部カバーを除いた一例の平面図、図８はＥ−Ｅ‘断面図である。
【００１７】
２枚のパネルを弾性体が圧着することで、パネル間の気密性を確保し、上部カバー３が上部からの水の侵入を防止することで、掲示物の劣化を防止する。
【００１８】
パネルの設置方法については、あらかじめ２枚のパネルの間に掲示物を挟み、上部カバー３を開き、次に開閉縦枠１を開き、前記パネルを固定縦枠１ａ内の弾性体の間に差し込むように装着する。次に、開閉縦枠１をパネル側に閉めながら、開閉縦枠１内の弾性体の間にパネルが差し込まれるように閉め、最後に上部カバー３を占めることで、パネルの設置が完了する。開閉縦枠１の底部を支点として、本体台座４に回動可能に取り付けられていることで、開閉縦枠１を閉めるときの作業性を向上することが可能となる。使用するパネルは、アクリル板等の樹脂で透過性のあるものが望ましい。
【００１９】
完成した立て看板は、掲示場所に設置し看板として利用する。上部カバー３の上面に、回転灯又はフラッシュライト等の回転灯７を取り付けることで、人の注意を引くことができ、看板を見る機会を増やすことができる。
【産業上の利用可能性】
【００２０】
本発明の立て看板は、工業生産が可能であり、看板として、様々な業種で利用することが可能である。
【符号の説明】
【００２１】
１    開閉縦枠
１ａ  固定縦枠
２    横枠
３    上部カバー
４    本体台座
５    車輪台座
６    パネル
６ａ  掲示物
７    回転灯
８    弾性体
９    蝶番
１０  係止片
１１  横枠固定板
１２  車輪
【図１】
2013134288.tif 000003
【図２】
2013134288.tif 000004
【図３】
2013134288.tif 000005
【図４】
2013134288.tif 000006
【図５】
2013134288.tif 000007
【図６】
2013134288.tif 000008
【図７】
2013134288.tif 000009
【図８】
2013134288.tif 000010
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
平板状のパネルと、もう１枚のパネルの間に掲示物を挟み、前記パネルの周りを枠で固定する立て看板において、縦枠の断面形状をコの字型とした縦枠の一方を固定縦枠として固定し、もう一方の縦枠を開閉縦枠とし、前記縦枠の内側に弾性体を２本平行に配置し、前記弾性体の断面形状が円型又略円形であり、前記開閉縦枠の底部を支点として回動可能にし、横枠と開閉縦枠に係止片を設けることにより開閉縦枠が開放時にある位置で停止することを特徴とする立て看板。